(57)【特許請求の範囲】
【請求項１】
セル識別子割り当て方法であって、
マクロ基地局の位置情報、及び、前記マクロ基地局に接続されている複数のリモート送信装置のうちの各リモート送信装置の位置情報を取得するための位置情報取得処理；
前記位置情報取得処理により取得された前記マクロ基地局の位置情報、及び、前記マクロ基地局に接続されている各前記リモート送信装置の位置情報に基づいて、各前記リモート送信装置の間の相互距離、及び、前記マクロ基地局と各前記リモート送信装置との間の相互距離を確定するための相互距離確定処理；
各前記リモート送信装置の間の相互距離、及び、前記マクロ基地局と各前記リモート送信装置との間の相互距離に基づいて、前記マクロ基地局及び前記複数のリモート送信装置を複数のセットに分けるためのセット分け処理；
前記複数のリモート送信装置にセル識別子を割り当てるためのセル識別子割り当て処理であって、同じセットにおけるリモート送信装置に同じセル識別子を割り当て、異なるセットにおけるリモート送信装置に異なるセル識別子を割り当て、前記マクロ基地局に前記マクロ基地局の所在するセットにおける前記リモート送信装置のセル識別子とは同じセル識別子を割り当てる、セル識別子割り当て処理；及び
割り当てられているセル識別子に基づいて、対応するリモート送信装置に送信する情報を生成するための情報生成処理を含む、方法。
【請求項２】
請求項1に記載の方法であって、
前記セット分け処理は、数量判断処理を含み、前記数量判断処理は、前記セット分け処理により分割されている各セットに含まれるリモート送信装置の数量、又は、リモート送信装置と前記マクロ基地局との数量の総和が所定の数量以下であるように確保するために用いられる、方法。
【請求項３】
請求項1に記載の方法であって、
前記セット分け処理は、前記複数のリモート送信装置のうちの、相互間の距離が所定の距離より小さい各リモート送信装置を同じセットに入れることによってセット分けを行い、そして、前記マクロ基地局を、前記マクロ基地局との距離が最も近いリモート送信装置を含むセットに入れる、方法。
【請求項４】
請求項1に記載の方法であって、
前記セット分け処理は、各リモート送信装置、及び、該リモート送信装置との距離が所定の距離より小さいリモート送信装置を同じセットに入れることによってセット分けを行い、そして、前記マクロ基地局を、前記マクロ基地局との距離が最も近いリモート送信装置を含むセットに入れる、方法。
【請求項５】
請求項1に記載の方法であって、
前記セット分け処理は、セットにまだ入れられていないリモート送信装置を、該リモート送信装置との距離が所定の距離より小さいセットに入れることによってセット分けを行い、そして、前記マクロ基地局を、前記マクロ基地局との距離が最も近いリモート送信装置を含むセットに入れる、方法。
【請求項６】
請求項1に記載の方法であって、
前記セット分け処理は、前記複数のリモート送信装置と前記マクロ基地局とからなる総セットにおける相互間の距離が所定の距離より小さい総セット要素を同じセットに入れることによってセット分けを行い、或いは、各総セット要素及び該総セット要素との間の距離が所定の距離より小さい総セット要素を同じセットに入れることによってセット分けを行い、或いは、セットにまだ入れられていない総セット要素を、該総セット要素との距離が所定の距離より小さいセットに入れることによってセット分けを行う、方法。
【請求項７】
請求項6に記載の方法であって、
前記マクロ基地局が一つのセットにおけるただ一つの要素となる時に、前記マクロ基地局を、前記マクロ基地局との距離が最も近いリモート送信装置を含むセットに入れる、方法。
【請求項８】
請求項2に記載の方法であって、
記所定の数量は、2、3、又は4である、方法。
【請求項９】
請求項1に記載の方法であって、
前記位置情報取得処理は、前記マクロ基地局に測定を行わせることによって前記複数のリモート送信装置のうちの各リモート送信装置の位置情報を取得し、或いは、前記複数のリモート送信装置のうちの各リモート送信装置に、位置情報のリポートを要求する指示を送信し、そして、各前記リモート送信装置からの位置情報を受信することによって各前記リモート送信装置の位置情報を取得する、方法。
【請求項１０】
セル識別子割り当て装置であって、
マクロ基地局の位置情報、及び、前記マクロ基地局に接続されている複数のリモート送信装置のうちの各リモート送信装置の位置情報を取得するための位置情報取得ユニット；
前記位置情報取得ユニットにより取得された前記マクロ基地局の位置情報、及び、前記マクロ基地局に接続されている各前記リモート送信装置の位置情報に基づいて、各前記リモート送信装置の間の相互距離、及び、前記マクロ基地局と各前記リモート送信装置との間の相互距離を確定するための相互距離確定ユニット；
各前記リモート送信装置の間の相互距離、及び、前記マクロ基地局と各前記リモート送信装置との間の相互距離に基づいて、前記マクロ基地局及び前記複数のリモート送信装置を複数のセットに分けるためのセット分けユニット；
前記複数のリモート送信装置にセル識別子を割り当てるためのセル識別子割り当てユニットであって、同じセットにおけるリモート送信装置に同じセル識別子を割り当て、異なるセットにおけるリモート送信装置に異なるセル識別子を割り当て、前記マクロ基地局に前記マクロ基地局の所在するセットにおける前記リモート送信装置のセル識別子とは同じセル識別子を割り当てる、セル識別子割り当てユニット；及び
割り当てられているセル識別子に基づいて、対応するリモート送信装置に送信する情報を生成するための情報生成処理ユニットを含む。
【請求項１１】
請求項10に記載の装置であって、
前記セット分けユニットは、数量判断ユニットを含み、前記数量判断ユニットは、前記セット分けユニットにより分割されている各セットに含まれるリモート送信装置の数量、又は、リモート送信装置と前記マクロ基地局との数量の総和が所定の数量以下であるように確保するように用いられる、装置。
【請求項１２】
請求項10に記載の装置であって、
前記セット分けユニットは、前記複数のリモート送信装置のうちの、相互間の距離が所定の距離より小さい各リモート送信装置を同じセットに入れることによってセット分けを行い、そして、前記マクロ基地局を、前記マクロ基地局との距離が最も近いリモート送信装置を含むセットに入れる、装置。
【請求項１３】
請求項10に記載の装置であって、
前記セット分けユニットは、各リモート送信装置、及び、該リモート送信装置との距離が所定の距離より小さいリモート送信装置を同じセットに入れることによってセット分けを行い、そして、前記マクロ基地局を、前記マクロ基地局との距離が最も近いリモート送信装置を含むセットに入れる、装置。
【請求項１４】
請求項10に記載の装置であって、
前記セット分けユニットは、セットにまだ入れられていないリモート送信装置を、該リモート送信装置との距離が所定の距離より小さいセットに入れることによってセット分けを行い、そして、前記マクロ基地局を、前記マクロ基地局との距離が最も近いリモート送信装置を含むセットに入れる、装置。
【請求項１５】
請求項10に記載の装置であって、
前記セット分けユニットは、前記複数のリモート送信装置と前記マクロ基地局とからなる総セットのうちの、相互間の距離が所定の距離より小さい総セット要素を同じセットに入れることによってセット分けを行い、或いは、各総セット要素、及び、該総セット要素との間の距離が所定の距離より小さい総セット要素を同じセットに入れることによってセット分けを行い、或いは、セットにまだ入れられていない総セット要素を、該総セット要素との距離が所定の距離より小さいセットに入れることによってセット分けを行う、装置。
【請求項１６】
請求項15に記載の装置であって、
前記マクロ基地局が一つのセットにおけるただ一つの要素となる時に、前記マクロ基地局を、前記マクロ基地局との距離が最も近いリモート送信装置を含むセットに入れる、装置。
【請求項１７】
請求項11に記載の装置であって、
前記所定の数量は、2、3、又は4である、装置。
【請求項１８】
請求項11に記載の装置であって、
前記位置情報取得ユニットは、前記マクロ基地局に測定を行わせることによって前記複数のリモート送信装置のうちの各リモート送信装置の位置情報を取得し、或いは、前記複数のリモート送信装置のうちの各リモート送信装置に、位置情報のリポートを要求する指示を送信し、そして、各前記リモート送信装置からの位置情報を受信することによって各前記リモート送信装置の位置情報を取得する、装置。
【請求項１９】
基地局であって、
前記基地局は、請求項10〜18のうちのいずれか1項に記載のセル識別子割り当て装置を含む、基地局。
【請求項２０】
ロジック部品可読プログラムであって、
前記ロジック部品可読プログラムは、ロジック部品により実行される時に、前記ロジック部品を、請求項10〜18のうちのいずれか1項に記載のセル識別子割り当て装置として動作させ、或いは、前記ロジック部品に、請求項1〜9のうちのいずれか1項に記載の方法を実現させる、プログラム。
【請求項２１】
ロジック部品可読有形記憶媒体であって、
前記有形記憶媒体は、請求項20に記載のプログラムを記憶している、記憶媒体。
【発明の詳細な説明】
【技術分野】
【０００１】
本発明は、通信システムにおける伝送技術に関し、さらに具体的に、LTE-Aシステムのヘテロジニアスネットワークにおけるセル識別子割り当て装置及びセル識別子割り当て方法に関する。
【背景技術】
【０００２】
3GPPのロング・ターム・エボリューション（long  term  evolution）では、従来のホモジニアスネットワークがそのまま受け継いで用いられ、このようなものは六角形のセルラーシステムにより構成される。システムの容量をさらに向上させるために、次世代無線通信システムのロング・ターム・エボリューション・アドヴァンスト（LTE-A）では、ヘテロジニアスネットワーク（Heterogeneous  Network）が導入されている。LTE-Aシステムは、マクロセル（Macro  Cell）、フェムトセル（Femto  Cell）、ピコセル（Pico  Cell）、リモート・ラジオ・ヘッド（RRH）、リレー（Relay）により構成される。新しい無線ノードを構成することにより、システムの容量を向上させることができるのみならず、特殊な領域におけるユーザに、より良いサービスを提供することもできるので、システムのパフォーマンスを最適化することができる。また、新しく構成されるノードは、以前に構成されたセルのユーザに干渉をもたらすことがあるので、干渉協調方法を強化する必要がある。協調マルチポイント送受信（CoMP）技術は、複数セルのジョイント伝送（Joint  Transmission）を利用することにより、セル間の干渉を抑制し、システムのパフォーマンスを向上させることができる。
【０００３】
マクロセル及びRRHからなるヘテロジニアスネットワークでは、セルは２種類の構成方式を採用することができる。図1は、マクロ基地局及びRRHからなるヘテロジニアスネットワークの第１種類の配置を示している。図1に示すように、第１種類の方式は、マクロセル及びRRHが同じセル識別子（Cell-ID）を採用するものである。この種類のシナリオでは、マクロセル及びRRHは、同じPDCCH、PHICH、PCFICH、PBCH、PSS、SSS、SIBチャネル、及びCRSを採用するが、PDSCHチャネルは、CoMP伝送方式を用いて多重化を行っても良い。この種類の構成方式の利点は、（1）PDCCH/PHICH/PCFICH/PBCH/PSS/SSSチャネルはダイバーシティ利得を取得することができ；（2）セル間にはCRS間の干渉が存在しないことにあるが、その欠点は、PDCCH/PBCH/PSS/SSSチャネルは多重化利得を失うことがあるとのことにある。図2は、マクロ基地局及びRRHからなるヘテロジニアスネットワークの第２種類の配置を示している。図2に示すように、第２種類の方式は、マクロセル及びRRHが異なるセル識別子（Cell-ID）を採用するものである。この種類のシナリオでは、マクロセル及びRRHはPDCCH、PDSCH、PHICH、PCFICH、PBCH、PSS、SSS、SIBチャネル及びCRSを多重化する。この種類の案の利点は、（1）最大のチャネル多重化利得を取得することができ；（2）以前の干渉協調メカニズムにおいてスムーズに進展変化することができ、また、交換性が良いことにある。その欠点は、セル間の干渉が大きく、ダイバーシティ利得を取得することができないことにある。図1は、２種類のシナリオを示している。
【０００４】
この２種類の構成方式では、どれでもPDSCHが多重化利得を取得することができるが、PDCCH/PHICH/PCFICH/PBCH/PSS/SSS/CRSの伝送方式が異なる。図1に示す案の設計目標は、ダイバーシティ利得を取得することにあり、図2に示す案の設計目標は、多重化利得を取得することにある。
【０００５】
本発明の発明者は、本発明を研究していた過程で、従来技術の案は、柔軟性が足りず、ダイバーシティ利得及び多重化利得のいずれか一つしかを実現することができず、システム容量の更なる向上を局限するとのことを発見した。よって、ダイバーシティ利得及び多重化利の折衷を行うためのセル識別子割り当て方法が必要となる。
【０００６】
なお、上述の背景技術に対する紹介は、本発明の技術案を明確かつ完全に説明するため、また、当業者が本発明を理解しやすいためのものだけである。これらの案が本発明の背景技術の部分に述べられているから、上述の技術案が当業者にとって周知のものであると思われてはいけない。
【発明の概要】
【発明が解決しようとする課題】
【０００７】
したがって、本発明は、従来技術における上述の問題に鑑みてなされたものであり、従来技術の局限により生じた１つ又は複数の欠点を緩和又は克服するために用いられ、少なくとも１つの有益な選択を提供する。
【課題を解決するための手段】
【０００８】
本発明の一側面によれば、セル識別子割り当て方法が提供される。前記セル識別子割り当て方法は、マクロ基地局の位置情報、及び、前記マクロ基地局に接続されている複数のリモート送信装置のうちの各リモート送信装置の位置情報を取得するための位置情報取得処理；前記位置情報取得処理により取得された前記マクロ基地局の位置情報、及び、前記マクロ基地局に接続されている各前記リモート送信装置の位置情報に基づいて、各前記リモート送信装置の間の相互距離、及び、前記マクロ基地局と各前記リモート送信装置との間の相互距離を確定するための相互距離確定処理；各前記リモート送信装置の間の相互距離、及び、前記マクロ基地局と各前記リモート送信装置との間の相互距離に基づいて、前記マクロ基地局及び前記複数のリモート送信装置を複数のセットに分けるためのセット分け処理；前記複数のリモート送信装置にセル識別子を割り当てるためのセル識別子割り当て処理であって、同じセットにおけるリモート送信装置に同じセル識別子を割り当て、異なるセットにおけるリモート送信装置に異なるセル識別子を割り当て、前記マクロ基地局に前記マクロ基地局の所在するセットにおける前記リモート送信装置とは同じセル識別子を割り当てる、セル識別子割り当て処理；及び、割り当てられているセル識別子に基づいて、対応するリモート送信装置に送信する情報を生成するための情報生成処理を含む。
【０００９】
本発明の他の側面によれば、セル識別子割り当て装置が提供される。前記セル識別子割り当て装置は、マクロ基地局の位置情報、及び、前記マクロ基地局に接続されている複数のリモート送信装置のうちの各リモート送信装置の位置情報を取得するための位置情報取得ユニット；前記位置情報取得ユニットにより取得された前記マクロ基地局の位置情報、及び、前記マクロ基地局に接続されている各前記リモート送信装置の位置情報に基づいて、各前記リモート送信装置の間の相互距離、及び、前記マクロ基地局と各前記リモート送信装置との間の相互距離を確定するための相互距離確定ユニット；各前記リモート送信装置の間の相互距離、及び、前記マクロ基地局と各前記リモート送信装置との間の相互距離に基づいて、前記マクロ基地局及び前記複数のリモート送信装置を複数のセットに分けるためのセット分けユニット；前記複数のリモート送信装置にセル識別子を割り当てるためのセル識別子割り当てユニットであって、同じセットにおけるリモート送信装置に同じセル識別子を割り当て、異なるセットにおけるリモート送信装置に異なるセル識別子を割り当て、前記マクロ基地局に前記マクロ基地局の所在するセットにおける前記リモート送信装置とは同じセル識別子を割り当てる、セル識別子割り当てユニット；及び、割り当てられているセル識別子に基づいて、対応するリモート送信装置に送信する情報を生成するための情報生成処理ユニットを含む。
【００１０】
本発明の他の側面によれば、基地局が提供される。前記基地局は、本文の前記セル識別子割り当て装置を含む。
【００１１】
本発明の他の側面によれば、ロジック部品可読プログラム、及び、該ロジック部品可読プログラムを記憶しているロジック部品可読有形記憶媒体が提供される。前記ロジック部品可読プログラムは、ロジック部品により実行される時に、前記ロジック部品を本文の前記セル識別子割り当て装置とさせることができ、又は、前記ロジック部品に、本文の前記セル識別子割り当て方法を実行させることができる。
【００１２】
なお、“包括（有する）/含む”というような語は、本文に用いる時に、特徴、部品全体、ステップ又は組み立て部品の存在を指すが、一つ又は複数の他の特徴、部品全体、ステップ又は組み立て部品の存在又は付加を排除しないことである。
【００１３】
また、以上の一般的な説明及び以下の図面に基づく詳細な説明は、例示的なものだけであり、本発明の保護範囲を限定するものではない。
【図面の簡単な説明】
【００１４】
以下の図面に基づく本発明についての詳細な説明から、本発明の以上及び他の目的、特徴、利点をより良く理解することができる。また、図面では、同じ又は類似する符号により、同じ又は類似する要素を示す。
【図１】マクロ基地局及びRRHからなるヘテロジニアスネットワークの第１種類の配置を示す図である。
【図２】マクロ基地局及びRRHからなるヘテロジニアスネットワークの第２種類の配置を示す図である。
【図３】本発明の一実施形態によるマクロ基地局300のブロック図である。
【図４】本発明の一実施形態によるセル識別子割り当てを示す図である。
【図５】本発明の他の実施形態によるマクロ基地局300'のブロック図である。
【図６】数量原理を採用した場合におけるセル識別子割り当てを示す図である。
【図７】本発明の一実施形態によるセル識別子割り当て方法を示す図である。
【図８】本発明の一実施形態によるセット分け方法のフローチャートである。
【発明を実施するための形態】
【００１５】
次に、図面を参照しながら、本発明の実施形態について詳細に説明する。これらの実施形態は全て、例示的なものだけであり、本発明の保護範囲を限定するものではない。
【００１６】
図３は、本発明の一実施形態によるセル識別子割り当て装置300のブロック図である。該装置は、マクロ基地局に用いられてもよく、又は、マクロ基地局と分離して設置されるがそれと接続されても良い。図３に示すように、本発明の一実施形態によれば、セル識別子割り当て装置300は、マクロ基地局自身の位置情報、及び、該マクロ基地局に接続されている複数のリモート・ラジオ・ヘッド（RRH）のうちの各リモート・ラジオ・ヘッドの位置情報を取得するための位置情報取得ユニット301；前記位置情報取得ユニットにより取得されたマクロ基地局自身の位置情報、及び、該マクロ基地局に接続されている各リモート・ラジオ・ヘッドの位置情報に基づいて、各リモート・ラジオ・ヘッドの間の相互距離、及び、前記マクロ基地局と各リモート・ラジオ・ヘッドとの間の相互距離を確定するための相互距離確定ユニット302；各リモート・ラジオ・ヘッドの間の相互距離、及び、前記マクロ基地局と各リモート・ラジオ・ヘッドとの間の相互距離に基づいて、マクロ地局及び前記複数のリモート・ラジオ・ヘッドを複数のセットに分けるためのセット分けユニット303；前記複数のリモート・ラジオ・ヘッドにセル識別子を割り当てるためのセル識別子割り当てユニット304であって、同じセットにおけるリモート・ラジオ・ヘッドに同じセル識別子を割り当て、異なるセットにおけるリモート・ラジオ・ヘッドに異なるセル識別子を割り当て、前記マクロ基地局に前記マクロ基地局の所在するセットにおけるリモート・ラジオ・ヘッドとは同じセル識別子を割り当てる、セル識別子割り当てユニット304；及び、割り当てられているセル識別子に基づいて、対応するリモート・ラジオ・ヘッドに送信する情報を生成するための情報生成ユニット305を含む。
【００１７】
ここでは、RRHをリモート送信装置の一つの実施例としているが、リモート送信装置は、自分のサービス範囲を有し且つセル識別子が割り当てられる必要のある他の装置、例えば、フェムトセル基地局、ピコセル基地局、リレーなどにより実現されても良い。
【００１８】
一つの実施形態では、位置情報取得ユニット301は、位置測定ユニットであり、該位置測定ユニットは、測定（測量）により各リモート・ラジオ・ヘッドの位置及びマクロ基地局自身の位置を確定する。他の実施形態では、各リモート・ラジオ・ヘッドは、その自身の位置を確定し（例えば、GPSで位置決めを行うなど）、そして、該位置を位置情報取得ユニット301に送信する。よって、このような実施形態では、位置情報取得ユニット301は、情報受信ユニットである。他の実施形態では、位置情報取得ユニット301は、各RRHに要求メッセージを送信して、各RRHがその自身の位置をリポートすることを要求し、各RRHからの位置情報を受信する。このような実施形態では、位置情報取得ユニット301は、要求送信ユニット及び情報受信ユニットの組み合わせである。他の実施形態では、位置情報取得ユニット301は、マクロ基地局の記憶ユニットから、マクロ基地局又はRRHの位置情報を取得する。このような場合は、位置情報取得ユニット301は、記憶ユニット及び読み取りユニットの組み合わせである。以上の各種類の実施形態は、組み合わせしてもよく、例えば、位置情報取得ユニット301は、マクロ基地局及び一部のRRHの位置情報を記憶する記憶ユニット、記憶されている情報を読み取る読み取りユニット、及び、他のRRHの位置を測定する測定ユニットなどを含んでも良い。要するに、当業者が現在又は将来に知るべき各種類の方式を採用して位置情報取得ユニット301を実現しても良い。
【００１９】
セット分けユニット303は、各種類の方法を採用してセット分けを行うことができる。一つの実施形態では、セット分けユニット303は、相互間の距離が所定の距離より小さい各RRHを同じセットに置き、そして、マクロ基地局を、該マクロ基地局との距離が最も近いRRHの所在するセットに置く。
【００２０】
例えば、RRH1とRRH2との間の距離がD12であり、RRH1とRRH3との間の距離がD13であり、RRH2とRRH3との間の距離がD23であるとすれば、D12、D13、及びD23の各々が所定の距離より小さい時のみに、RRH1、RRH2、RRH3を同じセットに入れることができる。D12及びD13が所定の距離より小さいが、D23が所定の距離より大きい場合、例えば、RRH1及びRRH2を同じセットに入れて、RRH3を他のセットに入れ、或いは、RRH1及びRRH3を同じセットに入れて、RRH2を他のセットに入れる。このような場合、マクロ基地局とRRH1との間の距離がD1Bであり、マクロ基地局とRRH2との間の距離がD2Bであり、マクロ基地局とRRH3との間の距離がD3Bであるとすれば、D1B及びD2Bのうちの最小値（本文では、この距離を基地局からRRH1、RRH2の所在するセットまでの距離とも称する）を確定し、そして、該最小値とD3Bとの比較を行い、D3Bが小さいとき、マクロ基地局をRRH3の所在するセットに置き、D3Bが大きいとき、マクロ基地局をRRH1及びRRH2の所在するセットに置く。
【００２１】
他の実施形態では、セット分けユニット303は、各RRHと、該RRHまでの距離が所定の距離より小さい各RRHとを同じセットに置くことによりセット分けを行い、そして、マクロ基地局を、該マクロ基地局との距離が最も近いRRHの所在するセットに置く。
【００２２】
例えば、RRH1とRRH2との間の距離がD12であり、RRH1とRRH3との間の距離がD13であり、RRH2とRRH3との間の距離がD23であるとする場合、D12及びD13がともに所定の距離より小さければ、D23が所定の距離より小さいかどうかにもかかわらず、RRH1、RRH2、及びRRH3を同じセットに置いてもよく、その後、他のRRH（例えば、RRH4）を選択して、類似する確定処理を行う。明らかであるように、当業者にとって、このような場合、相互距離確定ユニット302がD23を測定する必要がないことが自明である。よって、本文では、相互距離確定ユニット302の計算する必要のある各RRH間の距離の個数、及び、各RRHとマクロ基地局との間の距離の個数が、セット分けユニット303のアルゴリズムによって異なり、全てのRRH間の距離、及び、マクロ基地局と全てのRRHとの間の距離を確定する必要があると機械的又は理想的に解釈してはいけない。
【００２３】
他の実施形態では、セット分けユニット303は、未分割のRRHを、該RRHとの距離が所定の距離より小さいRRHを含むセットに置くことによってセット分けを行い、そして、マクロ基地局を、該マクロ基地局との距離が最も近いRRHの所在するセットに置く。
【００２４】
例えば、RRH1とRRH2との間の距離がD12であり、RRH1とRRH3との間の距離がD13であり、RRH2とRRH3との間の距離がD23であるとする場合、D12が所定の距離より小さいとき、RRH1及びRRH2を同一セットに置き、このような場合、D13及びD23のうちの一つが所定の距離より小さければ、RRH3をRRH1及びRRH2の所在するセットに入れても良い。即ち、D13が所定の距離より小さければ、D23が所定の距離より小さいかどうかにもかかわらず、RRH1、RRH2、及びRRH3を同じセットに置いても良い。その後、他のRRH（例えば、RRH4）を選択して、類似する確定処理を行う。明らかであるように、当業者にとって、このような場合、相互距離確定ユニット302がD23を測定する必要もないことが自明である。よって、本文では、相互距離確定ユニット302の計算する必要のある各RRH間の距離、及び、各RRHとマクロ基地局との間の距離が、セット分けユニット303のアルゴリズムによって異なり、全てのRRH間の距離、及び、マクロ基地局と全てのRRHとの間の距離を確定する必要があると機械的又は理想的に解釈してはいけない。
【００２５】
他の実施形態では、セット分けユニット303は、マクロ基地局をも１種類のRRHと見なして計算を行う。即ち、マクロ基地局を、マクロ基地局及び全てのRRHからなる総セットの中の普通の総セット要素として見なす。前記複数のRRH及び前記マクロ基地局からなる総セットの中の相互間の距離が所定の距離より小さい総セット要素を同じセットに入れることによってセット分けを行い、或いは、各総セット要素と、該総セット要素との間の距離が所定の距離より小さい総セット要素を同じセットに入れることによってセット分けを行い、又は、セットにまだ置かれていない総セット要素を、該総セット要素との距離が所定の距離より小さいセットに入れることによってセット分けを行う。
【００２６】
このような場合、マクロ基地局が一つのセットのただ一つの要素ならば、前述の方法を採用して、マクロ基地局を、該マクロ基地局との距離が最も近いRRHの所在するセットに入れても良い。
【００２７】
リモート送信装置がリモート・ラジオ・ヘッドである時に、情報生成ユニット305は、割り当てられているセル識別子に基づいて、対応するリモート・ラジオ・ヘッドに送信する情報を生成し、該情報は、リモート・ラジオ・ヘッドにより直接送信されても良い。リモート送信装置がフェムトセル基地局、ピコセル基地局などのマイクロ基地局である時に、情報生成ユニット305は、割り当てられているセル識別子を単独で、又は、他の情報とパッケージされてそれらのマイクロ基地局に送信しても良い。
【００２８】
図4は、本発明の一実施形態によるセル識別子割り当てを示す図である。図4に示すように、そのうち、マクロセル全体は、3個のCell-ID（セル識別子）を有し、各ブロック内のセルは、同じCell-IDを有する。このようなCell-IDの構成の下で、同じCell-IDを有するセルは、同じPDCCH/PHICH/PCFICH/PBCH/PSS/SSS/CRSを送信し、これらのセルは、これらの伝送チャネルを共用し、PDSCHは、CoMP方式を採用して多重化を行っても良い。異なるCell-IDを有するセルのPDCCH/PHICH/PCFICH/PBCH/PSS/SSS/CRS/PDSCHは、多重化を行っても良く、セル分割（cell  splitting）技術に類似する。
【００２９】
PDCCH/PHICH/PCFICH/PBCH/PSS/SSS/CRS/PDSCHチャネルについて、同じCell-IDのCoMP伝送案は、ダイバーシティ利得を取得することができ、異なるCell-IDのCoMP伝送案は、多重化利得を取得することができる。
【００３０】
図5は、本発明の他の実施形態によるセル識別子割り当て装置300'のブロック図である。図5に示すセル識別子割り当て装置300'と、図3に示すセル識別子割り当て装置300との相違点は、セット分けユニット303が数量確定ユニット501を含むことにある。数量確定ユニット501は、セット分けユニットにより分割されているセット中の装置の数が所定の数を越えないように保証するために用いられる。例えば、数量確定ユニット501は、セット分けユニットにより分割されているセット中のRRHの数、又は、RRH及びマクロ基地局の総数を確定し、RRHの数、又は、マクロ基地局及びRRHの総数が所定の数以上である場合、該セットに新しいRRH又はマクロ基地局を追加しないと判断する。
【００３１】
ダイバーシティ次数が所定の数値より高ければ、システムのパフォーマンスが飽和状態になり、利得が比較的微小である。また、多重化因子が大きければ、システムにおける各セル間の干渉が顕著に上がり、システムのスループットがかえって下がる。よって、本実施形態によれば、RRHの相互間の距離、及び、同じセル識別子を有するRRHの数を考慮することにより、ダイバーシティ利得と多重化利得との折衷をより良く実現することができる。
【００３２】
セル間の距離が比較的遠い場合、電波が空間チャネルの伝送において減衰するため、それらの間の干渉が比較的小さく、セル間のユーザ多重化に適する。よって、セル間の距離が所定の閾値より小さい時に限って、それらは、同じCell-IDに割り当てられる。しかし、ダイバーシティ利得が所定の次数より大きければ、ダイバーシティ利得が飽和状態になる問題が存在する。また、同じCell-IDのセルの増大は、潜在的に、両端のセルの距離を増大させているので、同じCell-IDを有するセルの数は、所定の閾値より小さいはずである。一実施形態では、同じCell-IDのセルにおけるPPH及びマクロ基地局の総数を4以下に設定してもよく、2又は3であっても良い。なぜなら、（1）次数が４であるダイバーシティがほぼ飽和状態に近くなり；（2）セルのCSI-RSを容易に構成するからである。図6は、数量原理を採用した場合におけるセル識別子割り当てを示す図である。図6に示すように、Cell-ID1のセルの数は4であり、Cell-ID2のセルの数は3である。
【００３３】
図7は、本発明の一実施形態によるセル識別子割り当て方法を示している。図7に示すように、先ず、ステップ701では、各RRHの位置情報及びマクロ基地局の位置情報を取得する。次に、ステップ702では、各RRHの位置情報及びマクロ基地局の位置情報に基づいて、各RRHの相互間の距離、及び、各RRHとマクロ基地局との間の距離を確定する。続いて、ステップ703では、確定された各RRHの相互間の距離、及び、各RRHとマクロ基地局との間の距離に基づいて、セット分けを行う。続いて、ステップ704では、分割されたセットに基づいて、セル識別子の割り当てを行い、同じセットにおけるRRH又はマクロ基地局に同じセル識別子を割り当て、異なるセットにおけるRRHに異なるセル識別子を割り当てる。最後に、ステップ705では、セル識別子に基づいて、各RRHが送信する情報を生成する。リモート送信装置が、その自身が送信するデータを生成する能力を有する装置である時に（例えば、マイクロ基地局である時に）、ステップ705では、割り当てられているセル識別子のみを含む情報を生成しても良い。
【００３４】
図8は、本発明の一実施形態によるセット分け方法のフローチャートである。図8は、図7におけるステップ703の例示的な展開と見なされても良い。図8に示すように、先ず、ステップ801では、基地局又は任意の一つのRRHを現在のセットに入れ、その後、ステップ802では、割り当てされていない任意の一つのRRHを選択する。続いて、ステップ803では、該RRHと、現在のセットにおけるいずれかの一つのRRH又は基地局との距離のうちの最小距離（現在のセットまでの距離とも称する）が所定の閾値（所定の距離）より小さいかを判断し、所定の閾値より小さければ（ステップ803では、「はい」の場合）、ステップ804では、現在のセットにおけるRRHの数、又は、RRH及びマクロ基地局の数の和が、所定の数より小さいかを判断し、所定の数より小さければ、ステップ805では、該RRHを現在のセットに入れ、その後、ステップ806では、未割り当てのRRH又は基地局がまだあるかどうかを判断する。ある（ステップ806で、「はい」の場合）と、ステップ802に戻す。逆に、未割り当てのRRH又は基地局がなければ、処理は終了する。また、ステップ803では、ステップ802により取得された未割り当てのRRH又は基地局から、現在のセットまでの距離が所定の距離より大きいと判断すれば、或いは、ステップ804では、現在のセットにおけるRRHの数、又は、RRH及びマクロ基地局の数の総和が所定の数以上であると判断すれば、処理はステップ807に進み、新しいセットを現在のセットとして設定し、そして、ステップ802により取得された未割り当てのRRH又は基地局を該新しい現在のセットに入れ、続いて、ステップ802に戻す。
【００３５】
以上の説明は、例示的なものだけであり、当業者は、セット分けユニットの異なるセット分け方法（例えば、上述のセット分けユニットについて説明した方法）に基づいて、各種類の処理フローを想到し得る。本文では、詳しい説明を省略する。
【００３６】
装置に対しての説明及び方法に対しての説明は、相互に参照することによって相互に理解することができる。一実施形態に出現した特徴は、同じ又は類似する方式で、他の実施形態に用い、他の実施形態における特徴を置換し、又は、他の実施形態における特徴と組み合わせて使用されても良い。
【００３７】
本発明の以上の装置及び方法は、ハードウェアにより実現されてもよく、ハードウェア及びソフトウェアの組み合わせにより実現されても良い。本発明は、また、このようなロジック部品可読プログラムにも関し、該プログラムは、ロジック部品により実行（直接実行、又は、インタープリット、コンパイル後に実行）されるときに、該ロジック部品に、上述の装置又は構成部品を実現させ、又は、該ロジック部品に、上述の各種類の方法又はステップを実現させることができる。ロジック部品は、例えば、フィールドプログラマブルロジック部品、マイクロプロセッサー、コンピュータに用いる処理器などであっても良い。本発明は、さらに、以上のプログラムを記憶している記憶媒体、例えば、ハードディスク、磁気ディスク、光ディスク、DVD、flashメモリ、光磁気ディスク、メモリカード、メモリスティックなどにも関する。
【００３８】
以上、具体的な実施形態を基に、本発明について説明したが、当業者が理解すべきは、これらの説明は、例示的なものだけであり、本発明の保護範囲を制限するものではない。当業者は、本発明の思想及び原理に基づいて、本発明に対してあらゆる変形及び変更をしてもよく、これらの変形及び変更も、本発明の技術的範囲に属する。
【図１】
0005704281.tif 000002
【図２】
0005704281.tif 000003
【図３】
0005704281.tif 000004
【図４】
0005704281.tif 000005
【図５】
0005704281.tif 000006
【図６】
0005704281.tif 000007
【図７】
0005704281.tif 000008
【図８】
0005704281.tif 000009